(57)【特許請求の範囲】
【請求項１】
アナログ音声信号を入力してデジタル音声信号に変換する入力変換手段と、
複数のソースファイルを記憶可能な所定のメモリに記憶され、ユーザにより選択されたソースファイルであって、圧縮されたデジタル音声信号により形成されたものを読み出して、圧縮されたデジタル音声信号を伸長することにより再生する再生手段と、
前記入力変換手段により入力・変換されたデジタル音声信号を前記メモリに録音指示する録音指示手段と、
前記入力変換手段により入力・変換されたデジタル音声信号と前記再生手段により再生されたデジタル音声信号とをミキシングして、前記メモリに録音指示するミキシング録音指示手段と、
ユーザにより前記録音指示手段が操作されたときには、前記入力変換手段により入力・変換されたデジタル音声信号を圧縮して、前記選択されたソースファイルとは異なる他のファイルとして、前記メモリに録音する一方、ユーザにより前記ミキシング録音指示手段が操作されたときには、前記入力変換手段により入力・変換されたデジタル音声信号と、前記選択されたソースファイルを前記再生手段により再生したデジタル音声信号とをミキシングし、該ミキシングしたデジタル音声信号を圧縮して、前記選択されたソースファイルとは異なる他のファイルに記録し、該ファイルを前記選択されたソースファイルに置換して前記メモリに録音するように制御する制御手段と
を有することを特徴とするポータブルミキシング記録装置。
【請求項２】
アナログ音声信号を入力してデジタル音声信号に変換する入力変換手段と、
所定のメモリに記憶され、ユーザにより選択されたソースファイルであって、圧縮されたデジタル音声信号により形成されたものを読み出して、圧縮されたデジタル音声信号を伸長することにより再生する再生手段と、
前記入力変換手段により入力・変換されたデジタル音声信号と前記再生手段により再生されたデジタル音声信号とをミキシングして、前記メモリに録音指示するミキシング録音指示手段と、
前記再生手段によるデジタル音声信号再生の一時停止を指示する一時停止指示手段と、
前記一時停止指示手段によりデジタル音声信号の再生が一時停止された後、ユーザにより前記ミキシング録音指示手段が操作されたときには、前記選択されたソースファイルのうち、前記一時停止された位置までを前記選択されたソースファイルとは異なる他のファイルに記録するとともに、前記一時停止された位置を書き込み位置に設定し、前記一時停止された位置から前記再生手段によるデジタル音声信号の再生を再開させるとともに、前記入力変換手段により入力・変換されたデジタル音声信号と前記再生手段により再生されたデジタル音声信号とをミキシングし、該ミキシングしたデジタル音声信号を圧縮して前記設定された書き込み位置から前記他のファイルに記録し、該他のファイルを前記選択されたソースファイルに置換して、前記メモリに録音するように制御する制御手段と
を有することを特徴とするポータブルミキシング記録装置。
【請求項３】
アナログ音声信号を入力してデジタル音声信号に変換する入力変換工程と、
複数のソースファイルを記憶可能な所定のメモリに記憶され、ユーザにより選択されたソースファイルであって、圧縮されたデジタル音声信号により形成されたものを読み出して、圧縮されたデジタル音声信号を伸長することにより再生する再生工程と、
ユーザにより録音指示手段が操作されたときには、前記入力変換工程により入力・変換されたデジタル音声信号を圧縮して、前記選択されたソースファイルとは異なる他のファイルとして、前記メモリに録音する一方、ユーザによりミキシング録音指示手段が操作されたときには、前記入力変換工程により入力・変換されたデジタル音声信号と、前記選択されたソースファイルを前記再生工程により再生したデジタル音声信号とをミキシングし、該ミキシングしたデジタル音声信号を圧縮して、前記選択されたソースファイルとは異なる他のファイルに記録し、該ファイルを前記選択されたソースファイルに置換して前記メモリに録音するように制御する制御工程と
を有することを特徴とするポータブルミキシング記録装置の制御方法。
【請求項４】
アナログ音声信号を入力してデジタル音声信号に変換する入力変換工程と、
所定のメモリに記憶され、ユーザにより選択されたソースファイルであって、圧縮されたデジタル音声信号により形成されたものを読み出して、圧縮されたデジタル音声信号を伸長することにより再生する再生工程と、
一時停止指示手段によりデジタル音声信号の再生が一時停止された後、ユーザによりミキシング録音指示手段が操作されたときには、前記選択されたソースファイルのうち、前記一時停止された位置までを前記選択されたソースファイルとは異なる他のファイルに記録するとともに、前記一時停止された位置を書き込み位置に設定し、前記一時停止された位置から前記再生手段によるデジタル音声信号の再生を再開させるとともに、前記入力変換工程により入力・変換されたデジタル音声信号と前記再生工程により再生されたデジタル音声信号とをミキシングし、該ミキシングしたデジタル音声信号を圧縮して前記設定された書き込み位置から前記他のファイルに記録し、該他のファイルを前記選択されたソースファイルに置換して、前記メモリに録音するように制御する制御工程と
を有することを特徴とするポータブルミキシング記録装置の制御方法。
【請求項５】
ポータブルミキシング記録装置の制御方法をコンピュータに実現させるためのプログラムであって、
アナログ音声信号を入力してデジタル音声信号に変換する入力変換手順と、
複数のソースファイルを記憶可能な所定のメモリに記憶され、ユーザにより選択されたソースファイルであって、圧縮されたデジタル音声信号により形成されたものを読み出して、圧縮されたデジタル音声信号を伸長することにより再生する再生手順と、
ユーザにより録音指示手段が操作されたときには、前記入力変換工程により入力・変換されたデジタル音声信号を圧縮して、前記選択されたソースファイルとは異なる他のファイルとして、前記メモリに録音する一方、ユーザによりミキシング録音指示手段が操作されたときには、前記入力変換工程により入力・変換されたデジタル音声信号と、前記選択されたソースファイルを前記再生工程により再生したデジタル音声信号とをミキシングし、該ミキシングしたデジタル音声信号を圧縮して、前記選択されたソースファイルとは異なる他のファイルに記録し、該ファイルを前記選択されたソースファイルに置換して前記メモリに録音するように制御する制御手順と
をコンピュータに実行させるためのプログラム。
【請求項６】
ポータブルミキシング記録装置の制御方法をコンピュータに実現させるためのプログラムであって、
アナログ音声信号を入力してデジタル音声信号に変換する入力変換手順と、
所定のメモリに記憶され、ユーザにより選択されたソースファイルであって、圧縮されたデジタル音声信号により形成されたものを読み出して、圧縮されたデジタル音声信号を伸長することにより再生する再生手順と、
一時停止指示手段によりデジタル音声信号の再生が一時停止された後、ユーザによりミキシング録音指示手段が操作されたときには、前記選択されたソースファイルのうち、前記一時停止された位置までを前記選択されたソースファイルとは異なる他のファイルに記録するとともに、前記一時停止された位置を書き込み位置に設定し、前記一時停止された位置から前記再生手段によるデジタル音声信号の再生を再開させるとともに、前記入力変換工程により入力・変換されたデジタル音声信号と前記再生工程により再生されたデジタル音声信号とをミキシングし、該ミキシングしたデジタル音声信号を圧縮して前記設定された書き込み位置から前記他のファイルに記録し、該他のファイルを前記選択されたソースファイルに置換して、前記メモリに録音するように制御する制御手順と
をコンピュータに実行させるためのプログラム。
【発明の詳細な説明】
【０００１】
【発明の属する技術の分野】
本発明は、記録された音声信号をモニタしながらマイク等で音声信号を入力し、ミキシングして音楽製作を行えるポータブルミキシング記録装置及びその制御方法並びにプログラムに関する。
【０００２】
【従来の技術】
近年、音声圧縮技術や電子部品の小型化技術等の進歩によって、携帯性を高めた音楽装置が実現されている。例えば、圧縮技術としてＭＰ３（ＭＰＥＧ−１  Ａｕｄｉｏ  Ｌａｙｅｒ−III）を用いた携帯ＭＰ３プレーヤでは、楽曲演奏や歌唱等の音声信号をデジタルサンプリングして成るＷＡＶファイルをＭＰ３フォーマット形式でエンコードし、圧縮されたファイルをフラッシュメモリ等に記憶することで、屋外等の外出先で再生が楽しめる。また、特開２０００−３３８９８４号公報に開示される携帯カラオケ装置では、ＭＰ３フォーマット形式でエンコードして記憶しておいた音声信号ファイルを伸長して再生すると同時に、マイクから肉声を入力し、両者をミキシングして再生することで、所望の曲のカラオケ演奏を外出先で楽しめる。
【０００３】
これらの装置はいずれも、再生を目的としており、マイク等から入力した音声信号を記録保存するものではないが、記録保存を可能にした装置も存在する。例えば、携帯ＭＰ３レコーダでは、アナログ入力端子を備え、カセットテープレコーダやラジオ等からの音声信号をＡ／Ｄ変換し、さらにＭＰ３フォーマット形式でエンコードして、圧縮されたファイルを音声信号ファイルとして記憶することができる。
【０００４】
ところが、この携帯ＭＰ３レコーダでは、多数の入力信号を多重するミキシング録音はできない。ミキシングが可能な音楽装置としては、例えば、ダブルラジカセが知られている。このダブルラジカセでは、一方のカセットで楽音を再生しつつ、マイクや外部入力端子からの音声入力信号をこれにミキシングして他方のカセットに多重録音が可能である。
【０００５】
【発明が解決しようとする課題】
一般に、オーバーダビング等による音楽製作を外出先で行うことを考えた場合、音質を維持しつつ、記録及びミキシングする機能が必要とされる。しかしながら、上記携帯ＭＰ３プレーヤや上記携帯カラオケ装置は、再生専用であって入力音声信号の録音ができず、上記携帯ＭＰ３レコーダはミキシングができないため、いずれも音楽製作には向かない。また、上記ダブルラジカセは、ミキシングを繰り返すことで楽音のアナログ信号でのダビングが繰り返されるため、多数回のミキシングによって音質劣化が激しく、やはり音楽製作には向かない。
【０００６】
一方、音楽製作用途を念頭においた装置として、ＭＤを用いた４チャネルＭＤマルチチャンネルレコーダが知られている（特開平８−７７７５７号公報）。このマルチチャンネルレコーダでは、ライン入力による信号をＡ／Ｄ変換及び音声圧縮してＭＤに記録することができる。例えば、いくつかのパートをオーバーダビングした後、それらをミキシングして空きチャネルに一旦移し（ピンポン録音）、また、パート数が多い場合は、ピンポン録音によって空いたチャネルにさらに別のパートを録音し、最後に全チャネルにミックスダウンすることができる。
【０００７】
しかしながら、上記マルチチャンネルレコーダでは、ピンポン録音する際、ＭＤに記録されたデジタル音声信号がアナログ音声信号に変換されてから、ライン入力による信号（アナログ音声信号）とミックスされるため、ピンポン録音が繰り返される場合は音質が劣化するという問題があった。また、上記マルチチャンネルレコーダは据え置き型であり、外出先での音楽製作には好適でない。
【０００８】
また、上記マルチチャンネルレコーダでは、ライン入力された音声信号をＭＤの１つのチャンネルに録音する場合であっても、ＭＤの複数のチャンネルに録音された音声信号をミキシングして他の１つのチャンネルにピンポン録音する場合であっても、その録音指示は、録音キーという１つのキーによって行うようにしていた。
【０００９】
しかし、通常録音（ライン入力された音声信号の、１つのチャンネルへの録音）に対する指示とピンポン録音に対する指示とを、録音キーという１つのキーによって併用すると、ユーザは一目で両指示を区別できないため、自分が今からしたい操作を迷ってしまう虞がある。
【００１０】
さらに、上記マルチチャンネルレコーダを用いて、図１３に示すように、あるチャンネルに録音された音声信号（ソースファイル）の一部に、ライン入力された音声信号（演奏信号）をオーバーダビング（ミキシング録音）する場合には、ユーザは、ソースファイルの再生を開始すると同時にミキシング録音を開始し、ソースファイルをモニタしながら、オーバーダビングしたい位置に録音が進行するまで待機し、その位置に録音が進行した時点で、演奏を開始する必要がある。
【００１１】
しかし、ユーザが楽器を演奏して発生した演奏音をマイクロフォンで拾うことによって、オーバーダビングすべき演奏信号をライン入力する場合には、演奏待機中に、演奏音以外の音を拾ってしまうことがあるため、ユーザは、演奏待機中は物音を立てないように注意する必要があり、したがって、演奏に集中できないこともあった。
【００１２】
本発明は上記従来技術の問題を解決するためになされたものであり、その目的は、過大な場所の制約を受けることなく、音質の劣化を極力防止しつつオーバーダビング等による音楽製作を気軽に行うことができるポータブルミキシング記録装置及びその制御方法並びにプログラムを提供することにある。
【００１３】
上記目的を達成するため、請求項１に記載のポータブルミキシング記録装置は、アナログ音声信号を入力してデジタル音声信号に変換する入力変換手段と、複数のソースファイルを記憶可能な所定のメモリに記憶され、ユーザにより選択されたソースファイルであって、圧縮されたデジタル音声信号により形成されたものを読み出して、圧縮されたデジタル音声信号を伸長することにより再生する再生手段と、前記入力変換手段により入力・変換されたデジタル音声信号を前記メモリに録音指示する録音指示手段と、前記入力変換手段により入力・変換されたデジタル音声信号と前記再生手段により再生されたデジタル音声信号とをミキシングして、前記メモリに録音指示するミキシング録音指示手段と、ユーザにより前記録音指示手段が操作されたときには、前記入力変換手段により入力・変換されたデジタル音声信号を圧縮して、前記選択されたソースファイルとは異なる他のファイルとして、前記メモリに録音する一方、ユーザにより前記ミキシング録音指示手段が操作されたときには、前記入力変換手段により入力・変換されたデジタル音声信号と、前記選択されたソースファイルを前記再生手段により再生したデジタル音声信号とをミキシングし、該ミキシングしたデジタル音声信号を圧縮して、前記選択されたソースファイルとは異なる他のファイルに記録し、該ファイルを前記選択されたソースファイルに置換して前記メモリに録音するように制御する制御手段とを有することを特徴とする。
【００１４】
この構成によれば、ユーザにより録音指示手段が操作されたときには、入力変換手段により入力、変換されたデジタル音声信号がメモリに録音される一方、ユーザによりミキシング録音指示手段が操作されたときには、前記入力変換手段により入力、変換されたデジタル音声信号と、再生手段により前記メモリに記憶されたソースファイルが読み出されて再生されたデジタル音声信号とがミキシングされて、前記メモリに録音される。このように、入力されたデジタル音声信号をメモリに録音指示する録音指示手段と、入力されたデジタル音声信号と再生手段により再生されたデジタル音声信号とをミキシングして、前記メモリに録音指示するミキシング録音指示手段とを、別々の録音指示手段によって構成したので、ユーザは自分の意図した録音を、対応する録音指示手段の操作という簡単な操作で行うことができ、これにより、ユーザの録音指示操作に対する迷いは消えて、操作性が向上する。
【００１５】
なお、所定のメモリは着脱自在な記憶媒体で構成してもよく、例えば、メモリカード等が好適である。
【００１７】
この構成によれば、ミキシングされたデジタル音声信号は圧縮音声信号に圧縮変換されて記憶されるので、メモリ容量を少なくすることができ、携帯性の向上にも寄与する。よって、過大な場所の制約を受けることなく、音質の劣化を極力防止しつつオーバーダビング等による音楽製作を気軽に行うことができる。
【００１８】
上記目的を達成するため、請求項２に記載のポータブルミキシング記録装置は、アナログ音声信号を入力してデジタル音声信号に変換する入力変換手段と、所定のメモリに記憶され、ユーザにより選択されたソースファイルであって、圧縮されたデジタル音声信号により形成されたものを読み出して、圧縮されたデジタル音声信号を伸長することにより再生する再生手段と、前記入力変換手段により入力・変換されたデジタル音声信号と前記再生手段により再生されたデジタル音声信号とをミキシングして、前記メモリに録音指示するミキシング録音指示手段と、前記再生手段によるデジタル音声信号再生の一時停止を指示する一時停止指示手段と、前記一時停止指示手段によりデジタル音声信号の再生が一時停止された後、ユーザにより前記ミキシング録音指示手段が操作されたときには、前記選択されたソースファイルのうち、前記一時停止された位置までを前記選択されたソースファイルとは異なる他のファイルに記録するとともに、前記一時停止された位置を書き込み位置に設定し、前記一時停止された位置から前記再生手段によるデジタル音声信号の再生を再開させるとともに、前記入力変換手段により入力・変換されたデジタル音声信号と前記再生手段により再生されたデジタル音声信号とをミキシングし、該ミキシングしたデジタル音声信号を圧縮して前記設定された書き込み位置から前記他のファイルに記録し、該他のファイルを前記選択されたソースファイルに置換して、前記メモリに録音するように制御する制御手段とを有することを特徴とする。
【００１９】
この構成によれば、一時停止指示手段によりデジタル音声信号の再生が一時停止された後、ユーザによりミキシング録音指示手段が操作されたときには、当該一時停止された位置から、入力変換手段により入力、変換されたデジタル音声信号と、再生手段によりメモリに記憶されたソースファイルが読み出されて再生されたデジタル音声信号とがミキシングされて、メモリに録音される。このように、ソースファイルの一部のみにミキシング録音をさせたい場合には、ミキシング録音をさせたくない部分は再生のみさせて、従来の装置のように、ミキシング録音の待機状態とさせていないので、ミキシング録音させたい音声信号以外の信号が入り込む余地はなくなり、ユーザは演奏等のミキシング録音のみに集中することができる。
【００２１】
この構成によれば、ミキシングされたデジタル音声信号は圧縮音声信号に圧縮変換されて記憶されるので、メモリ容量を少なくすることができ、携帯性の向上にも寄与する。よって、過大な場所の制約を受けることなく、音質の劣化を極力防止しつつオーバーダビング等による音楽製作を気軽に行うことができる。
【００２２】
上記目的を達成するため、請求項３に記載のポータブルミキシング記録装置の制御方法は、アナログ音声信号を入力してデジタル音声信号に変換する入力変換工程と、複数のソースファイルを記憶可能な所定のメモリに記憶され、ユーザにより選択されたソースファイルであって、圧縮されたデジタル音声信号により形成されたものを読み出して、圧縮されたデジタル音声信号を伸長することにより再生する再生工程と、ユーザにより録音指示手段が操作されたときには、前記入力変換工程により入力・変換されたデジタル音声信号を圧縮して、前記選択されたソースファイルとは異なる他のファイルとして、前記メモリに録音する一方、ユーザによりミキシング録音指示手段が操作されたときには、前記入力変換工程により入力・変換されたデジタル音声信号と、前記選択されたソースファイルを前記再生工程により再生したデジタル音声信号とをミキシングし、該ミキシングしたデジタル音声信号を圧縮して、前記選択されたソースファイルとは異なる他のファイルに記録し、該ファイルを前記選択されたソースファイルに置換して前記メモリに録音するように制御する制御工程とを有することを特徴とする。
【００２３】
この構成によれば、請求項１と同様の作用効果を奏する。
【００２４】
また、上記目的を達成するため、請求項４に記載のポータブルミキシング記録装置の制御方法は、アナログ音声信号を入力してデジタル音声信号に変換する入力変換工程と、所定のメモリに記憶され、ユーザにより選択されたソースファイルであって、圧縮されたデジタル音声信号により形成されたものを読み出して、圧縮されたデジタル音声信号を伸長することにより再生する再生工程と、一時停止指示手段によりデジタル音声信号の再生が一時停止された後、ユーザによりミキシング録音指示手段が操作されたときには、前記選択されたソースファイルのうち、前記一時停止された位置までを前記選択されたソースファイルとは異なる他のファイルに記録するとともに、前記一時停止された位置を書き込み位置に設定し、前記一時停止された位置から前記再生手段によるデジタル音声信号の再生を再開させるとともに、前記入力変換工程により入力・変換されたデジタル音声信号と前記再生工程により再生されたデジタル音声信号とをミキシングし、該ミキシングしたデジタル音声信号を圧縮して前記設定された書き込み位置から前記他のファイルに記録し、該他のファイルを前記選択されたソースファイルに置換して、前記メモリに録音するように制御する制御工程とを有することを特徴とする。
【００２５】
この構成によれば、請求項２と同様の作用効果を奏する。
【００２６】
上記目的を達成するため、請求項５に記載のプログラムは、ポータブルミキシング記録装置の制御方法をコンピュータに実現させるためのプログラムであって、アナログ音声信号を入力してデジタル音声信号に変換する入力変換手順と、複数のソースファイルを記憶可能な所定のメモリに記憶され、ユーザにより選択されたソースファイルであって、圧縮されたデジタル音声信号により形成されたものを読み出して、圧縮されたデジタル音声信号を伸長することにより再生する再生手順と、ユーザにより録音指示手段が操作されたときには、前記入力変換工程により入力・変換されたデジタル音声信号を圧縮して、前記選択されたソースファイルとは異なる他のファイルとして、前記メモリに録音する一方、ユーザによりミキシング録音指示手段が操作されたときには、前記入力変換工程により入力・変換されたデジタル音声信号と、前記選択されたソースファイルを前記再生工程により再生したデジタル音声信号とをミキシングし、該ミキシングしたデジタル音声信号を圧縮して、前記選択されたソースファイルとは異なる他のファイルに記録し、該ファイルを前記選択されたソースファイルに置換して前記メモリに録音するように制御する制御手順とをコンピュータに実行させるためのプログラムであることを特徴とする。
【００２７】
この構成によれば、請求項１と同様の作用効果を奏する。
【００２８】
また、上記目的を達成するため、請求項６に記載のプログラムは、ポータブルミキシング記録装置の制御方法をコンピュータに実現させるためのプログラムであって、アナログ音声信号を入力してデジタル音声信号に変換する入力変換手順と、所定のメモリに記憶され、ユーザにより選択されたソースファイルであって、圧縮されたデジタル音声信号により形成されたものを読み出して、圧縮されたデジタル音声信号を伸長することにより再生する再生手順と、一時停止指示手段によりデジタル音声信号の再生が一時停止された後、ユーザによりミキシング録音指示手段が操作されたときには、前記選択されたソースファイルのうち、前記一時停止された位置までを前記選択されたソースファイルとは異なる他のファイルに記録するとともに、前記一時停止された位置を書き込み位置に設定し、前記一時停止された位置から前記再生手段によるデジタル音声信号の再生を再開させるとともに、前記入力変換工程により入力・変換されたデジタル音声信号と前記再生工程により再生されたデジタル音声信号とをミキシングし、該ミキシングしたデジタル音声信号を圧縮して前記設定された書き込み位置から前記他のファイルに記録し、該他のファイルを前記選択されたソースファイルに置換して、前記メモリに録音するように制御する制御手順とをコンピュータに実行させるためのプログラムであることを特徴とする。
【００２９】
この構成によれば、請求項２と同様の作用効果を奏する。
【００３０】
なお、請求項５及び６の各プログラムをそれぞれ格納したコンピュータ読み取り可能な各記憶媒体は、それぞれ本発明を構成する。
【００３１】
【発明の実施の形態】
以下、本発明の実施の形態を図面を参照して説明する。
【００３２】
図１は、本発明の一実施の形態に係るポータブルミキシング記録装置の外観を示す図であり、同図（ａ）は平面図、同図（ｂ）は正面図、同図（ｃ）は右側面図をそれぞれ示す。本ミキシング記録装置２０は、記録された音声信号をモニタしながらマイク等で音声信号を入力し、デジタルミキシングして音楽製作を行うことを目的とした音楽装置であり、特に外出先でも気軽に扱えるようにした携帯型の音楽装置として構成される。
【００３３】
同図（ａ）において、端子（ＤＣ）５１からは直流電源が供給される。カスケード端子（ｃａｓｃａｄｅ）５２（接続手段、スレーブ入力手段の一部）は、後述するように、本装置同士を２台カスケード接続するための端子である。定位操作子（ｉｎｐｕｔ  ｐａｎ）５３は、入力音声の定位を設定するのに用いられる。スロット５４には、後述するメモリカード１０（所定のメモリ）が挿入される。ＵＳＢ（Ｕｎｉｖｅｒｓａｌ  Ｓｅｒｉａｌ  Ｂｕｓ）端子５５は、不図示のパーソナルコンピュータとＵＳＢ接続するための端子である。電源スイッチ（ｐｏｗｅｒ）５６は、押下されることで本装置の電源のオンオフがされる。
【００３４】
同図（ｂ）において、小型の内蔵スピーカ（ｓｐｅａｋｅｒ）５７は、音声信号を補助的に出力したり各種操作音を発生したりするのに用いられる。マスター指定スイッチ５８は、後述するカスケード接続時において、いずれの装置がマスター（他方がスレーブ）側であるかを指定するためのスイッチであり、マスター指定スイッチ５８が最後に押下された方の記録装置がマスター、他方がスレーブとされる。内蔵マイク５９、６０（ｍｉｃＬ／Ｒ）（入力変換手段の一部）は、肉声等の外部音声をアナログ信号としてステレオ入力するのに用いられる。
【００３５】
表示部６１は液晶表示装置で構成され、表示部６１には、状況に応じて、曲名、時刻、演奏時間、モード、設定情報等の各種情報が表示される。ｄｉｓｐ／ｓｙｓスイッチ６２は、表示部６１の表示モードの切り替えや、曲のコピー、消去、曲名変更等のためのシステム設定画面の表示切り替えに用いられる。ｒｅｐスイッチ６３は、楽音のリピート再生を行うとき用いられる。ＥＱスイッチ６４及びｒｅｖスイッチ６５は出力アンビエントの選択、例えば、出力音声のイコライジングやリバーブ付与に用いられる。
【００３６】
ｍｉｃスイッチ６６、ｉｎｓｔスイッチ６７及びａｕｘスイッチ６８は、入力音声経路、すなわちインプット選択に用いられ、選択されたいずれか１つのスイッチが点灯する。一方、同図（ｃ）に示すように、装置側面にはｉｎｓｔ端子８４、付属ピン型の外部マイクを接続するための外部マイク（ｅｘｔ−ｍｉｃ）端子８５及びａｕｘ端子８６が設けられる（いずれも入力変換手段の一部）。ｍｉｃスイッチ６６が選択されたときは、通常は、内蔵マイク５９、６０からの信号が入力され得るが、外部マイク（ｅｘｔ−ｍｉｃ）端子８５に外部マイクが接続されているときは、外部マイクからの入力信号が優先される。なお、内蔵マイク選択時は内蔵スピーカ５７が自動的にオフにされる。ｉｎｓｔスイッチ６７が選択されたときは、ｉｎｓｔ端子８４に接続されたギターやキーボード等の電子楽器からの信号が入力され得る。ａｕｘスイッチ６８が選択されたときは、ａｕｘ端子８６に接続されたオーディオ機器等の装置からの信号がライン入力され得る。
【００３７】
同図（ｂ）において、入力レベル調整操作子６９は、入力される音声信号の入力レベルを調整するのに用いられる。出力レベル調整操作子７０は、後述するメモリカード１０に記憶されたソースファイル１１の音声信号の再生レベルを調整するのに用いられる。
【００３８】
ＬＥＤレベルメータ７１は、複数のＬＥＤで構成され、各々が点灯、点滅することで、入力レベル、再生レベル、録音レベル等を表示する。再生録音（ｐｌａｙ／ｓｔｏｐ／ｅｎｔ）ボタン７２は、再生や録音の開始及び停止のほか、各種設定の決定キーとして用いられる。ｅｆｆボタン７３は、入力音声信号にディレイ等のエフェクトを付与するのに用いられる。ｍｅｔボタン７４は、メトロノーム機能の設定及びオンオフを指示するのに用いられる。ｔｎｒボタン７５は、チューナ機能やトーンジェネレータ機能を利用するのに用いられる。ｉｎｐｕｔモードでは、入力音声の音高に応じてＬＥＤレベルメータ７１が点滅する。ｔｏｎｅモードでは、設定した音程（基準音）が発音される。
【００３９】
ｒｅｃボタン７６は、入力音声のデジタル録音を行うときに用いられ、押下されると録音待機状態となり、続いて再生録音ボタン７２を押下することで録音が開始される。ｍｉｘボタン７７は、入力音声とソースファイル１１の音声信号とのデジタルミキシング録音を行うときに用いられ、押下されるとミキシング録音待機状態となり、続いて再生録音７２を押下することでミキシング録音が開始される。ｐａｕｓｅボタン７８は、再生の一時停止に用いられる。なお、ボタン７３〜７６には、不図示のＬＥＤが各々内蔵されており、押下操作状況に応じて点灯するようになっている。
【００４０】
プラスボタン７９、マイナスボタン８０は、ソースファイル１１中の曲（以下、「ソング」と称する）の選択に用いられ、プラス、マイナスボタン７９、８０で選択したソングは表示部６１に表示される。所望のソングが表示されたところで再生録音ボタン７２を押下することで、そのソングが決定される。なお、ソングには、ユーザがネームを付けなかった場合は、記憶される際に自動的にネーム（連番等）が付与される。ｕｎｄｏボタン８７は、直前のメモリアクセス処理を取り消して元の状態に復帰するのに用いられる。
【００４１】
同図（ｃ）において、ｐｈｏｎｅ端子８１には、ヘッドフォン等が接続可能で、入力音声、ソング、ミキシング音声の再生を聴くことができる。ボリューム（ｖｏｌ）操作子８２は音声出力レベルを設定するのに用いられる。ｇａｉｎ操作子８３は、ｉｎｓｔ端子８４を介して入力される音声信号のゲイン調整に用いられる。
【００４２】
図２は、本ミキシング記録装置の機能構成を示すブロック図である。なお、メモリカード１０は、可搬型で着脱自在の記憶媒体であり、同図では、メモリカード１０が挿入された状態が示されている。
【００４３】
入力切換部（ｉｎｐｕｔ  ｓｅｌｅｃｔ）２５（入力変換手段の一部）は、内蔵マイク５９、６０、ｉｎｓｔ端子８４、外部マイク端子８５、またはａｕｘ端子８６のいずれからのアナログ音声信号を入力するかを切り換える。入力切換部２５から出力されたアナログ音声信号は、ＡＤ変換部２６（入力変換手段の一部）でＡ／Ｄ変換されてデジタル音声信号となり、その後、ＥＱ２７でイコライジングされ、ＤＹＮ２８で子音抑制処理がされ、ＥＦＦ２９でリバーブ、ディレイ、フランジャ等の効果が付与される。
【００４４】
ＥＦＦ２９からの出力信号は、入力レベル調整操作子６９による入力レベル調整及び定位操作子５３による定位設定を経て、入力ライン（ＢＵＳ１、２）３３及びスイッチ部ＭＳＷに入力される。前述したように、カスケード接続時においては、マスター指定スイッチ５８によってマスター側が指定されるが、スイッチ部ＭＳＷは、本装置がマスター側であるときはオン、スレーブ側であるときはオフとなるように構成されている。
【００４５】
入力ライン３３に入力された信号は、エンコーダ（ＥＮＣＯＤＥ）３９（第２エンコード手段）に入力される。本装置２０がスレーブ側である場合は、入力ライン３３に入力された信号は、さらにカスケード接続されたマスター側の装置に対して出力ライン８から出力される。
【００４６】
本装置２０には、記憶制御部３０（記憶制御手段）及びアンドゥバッファ３１（アンドゥバッファ部）が備えられる。アンドゥバッファ３１はＲＡＭ等で構成される。アンドゥバッファ３１及びメモリカード１０はいずれも記憶制御部３０に接続され、記憶制御部３０によって記憶動作が制御される。メモリカード１０には、ＵＳＢＩ／Ｆ（インターフェイス）３５が備えられている。
【００４７】
図３は、本ポータブルミキシング記録装置の内部構成を示すブロック図である。
【００４８】
本装置２０は、ＣＰＵ９１に、バス９７を介して、上記したアンドゥバッファ３１、スロット５４及びＵＳＢ端子５５が接続されるほか、ＲＡＭ９２、ＲＯＭ９３、入出力部９４、操作部９５及び表示器９６が接続されて構成される。
【００４９】
ＣＰＵ９１は本装置全体の制御を司る。ＲＡＭ９２は、各種データを一時的に格納し、ＣＰＵ９１のワークエリアとしても機能する。ＲＯＭ９３は、ＣＰＵ９１が実行する各種制御プログラムのほか、各種データを格納する。
【００５０】
入出力部９４は、入力及び出力にかかわる要素群であり、上述したカスケード端子５２、内蔵マイク５９、６０、端子８４〜８６、内蔵スピーカ５７及びｐｈｏｎｅ端子８１等を含む。操作部９５は、入力、操作にかかわる要素群であり、上述したマスター指定スイッチ５８、スイッチ６２〜６８、調整操作子６９、７０及びボタン７２〜８０等を含む。表示器９６は、表示にかかわる要素群であり、上述した表示部６１及びＬＥＤレベルメータ７１で構成される。
【００５１】
図２に戻り、メモリカード１０には、ソースファイル１１、ミックスファイル１２及びマテリアルファイル１３が記憶され得る。これらはいずれもＭＰ３（ＭＰＥＧ−１  Ａｕｄｉｏ  Ｌａｙｅｒ−III）形式で圧縮された圧縮音声信号で成るファイルである。
【００５２】
ソースファイル１１は、入力切換部２５を介して入力される内蔵マイク５９、６０等からの入力音声信号とミキシングされるべき元のファイルであり、最初は、ミキシングを伴わない音声入力の録音（以下、「単独録音」と称する）によってミックスファイル１２として記憶されたものである（この場合、ミキシングはされないので、呼び名としては合致しない）。なお、ソースファイル１１は複数存在し得る。また、ソースファイル１１は、他の機器にメモリカード１０を装着して既成のデータを予め記憶することによって得られたものでもよい。
【００５３】
ミックスファイル１２は、ソースファイル１１の音声信号と入力切換部２５を介する入力音声信号とがミキシングされて記憶（以下、「ミキシング録音」と称する）されたものであり、次回からは、元のソースファイル１１に代わって新たなソースファイル１１として利用可能である。
【００５４】
マテリアルファイル１３は、入力切換部２５を介する入力音声信号がソースファイル１１の音声信号とミックスされることなく作成されたものであり、ミックスファイル１２とは別個のファイル（別ファイル）として記憶される。なお、ミキシング録音時にマテリアルファイル１３を作成するか否かは、ユーザの意思により設定可能に構成されている。
【００５５】
ミキシング録音の場合、ソースファイル１１の音声信号はデコーダ（ＤＥＣＯＤＥ）３７（デコード手段）で伸長変換されてデジタル音声信号となる。このデジタル音声信号は、出力レベル調整操作子７０による出力レベル調整を経て、出力ライン３４（ミキシング手段）に入力される。
【００５６】
本装置２０がマスター側である場合は、定位操作子５３による定位設定を経てスイッチ部ＭＳＷに入力された信号は、出力ライン３４にも入力される。また、カスケード接続されたスレーブ側の装置からは、後述するように、デジタル音声信号（スレーブ側デジタル音声入力信号）がライン３６（スレーブ入力手段の一部）を通じて出力ライン３４に入力される。スイッチ部ＭＳＷ、スレーブ側の装置またはデコーダ３７のいずれかから出力ライン３４に信号が入力された場合は、その信号がエンコーダ（ＥＮＣＯＤＥ）３８（第１エンコード手段）及びＥＦＦ４０にそれぞれ出力されると共に、出力ライン７を介して、カスケード接続されたスレーブ側の装置に出力される。
【００５７】
出力ライン３４からエンコーダ３８に入力されたデジタル音声信号は、エンコーダ３８によりＭＰ３形式で圧縮変換されて、ミックスファイル１２としてメモリカード１０に記憶される。これと共に、入力ライン３３からエンコーダ３９に入力されたデジタル音声信号は、エンコーダ３９によりＭＰ３形式で圧縮変換されて、マテリアルファイル１３としてメモリカード１０に記憶される。
【００５８】
ミキシング録音によってミックスファイル１２が記憶される際、元のソースファイル１１は消去される。従って、ミックスファイル１２が記憶されることで、見かけ上、ソースファイル１１に新たなソースファイル１１が上書きされるのと同様の処理となるが、その際、元のソースファイル１１がアンドゥバッファ３１に仮記憶される。これにより、ミキシング録音のやり直しを容易に行える。
【００５９】
なお、アンドゥバッファ３１は装置２０本体に設けたが、メモリカード１０内に設けてもよい。また、アンドゥ機能の使いやすさの観点からは、アンドゥバッファ３１内のファイルは、少なくとも次回のミックスファイル１２の記憶まで保持されるように構成するのが望ましい。
【００６０】
出力ライン３４からＥＦＦ４０に入力されたデジタル音声信号は、ＥＦＦ４０で効果が付与され、ＥＱ４１でイコライジングされ、ＤＡ変換部４２でＤ／Ａ変換されてアナログ音声信号となり、その後、ボリューム操作子８２による音量設定を経て、ｐｈｏｎｅ端子８１、及び場合によっては内蔵スピーカ５７に出力される。
【００６１】
このように、本装置では、入力音声のデジタル録音及びリアルタイム再生、入力音声とソースファイル１１の（ソングの）音声信号とのデジタルミキシング録音及びリアルタイム再生、ソースファイル１１の音声信号の再生等を行うことができる。
【００６２】
本装置２０にはさらに、チューナ４５、チューナ／メトロノーム４４が設けられる。上述したｉｎｐｕｔモードにおいて、チューナ４５は、入力切換部２５から出力されたアナログ音声信号の音高を検出してＬＥＤレベルメータ７１にそれを表示させる。上述したｔｏｎｅモードでは、チューナ／メトロノーム４４から、設定した音程の基準音がＤＡ変換部４２に出力される。メトロノーム機能がオンになっているときは、チューナ／メトロノーム４４からメトロノーム音がＤＡ変換部４２に出力される。基準音またはメトロノーム音は、ｐｈｏｎｅ端子８１または内蔵スピーカ５７から発音される。
【００６３】
ＬＥＤレベルメータ７１は、入力レベル調整操作子６９を経た信号に基づいて、入力音声の入力レベルを表示すると共に、出力レベル調整操作子７０を経たソースファイル１１の信号に基づいて、ソングの出力レベルを表示する。ＬＥＤレベルメータ７１はまた、出力ライン３４からエンコーダ３８に入力される信号の入力レベルを表示する。なお、これら各レベルは、ＬＥＤレベルメータ７１に代えて表示部６１に表示されるようにしてもよい。
【００６４】
なお、図示はしないが、本装置２０は、ＵＳＢ端子５５でパーソナルコンピュータと接続することで、装着されているメモリカード１０内のファイルをパーソナルコンピュータから外部ドライブと同様の感覚でアクセスすることができ、コピー、削除、移動のほか、ソフトウェアを用意すれば編集、加工もパーソナルコンピュータ上で行える。
【００６５】
かかる構成において、各種動作を説明する。
【００６６】
図４〜図６は、動作別の信号の流れを図２に対応させて簡略的に示したブロック図である。各図において、Ｅｆｆ１には、図２に示すＥＱ２７、ＤＹＮ２８及びＥＦＦ２９が相当する。ＥＦＦ２９の出力からスイッチ部ＭＳＷまでは省略されている。ミキシング部ＭＢ（ミキシング手段）には、図２に示すスイッチ部ＭＳＷからエンコーダ３８、ＥＦＦ４０の入力まで、及び出力レベル調整操作子７０の出力側までに至る出力ライン３４が相当する。Ｅｆｆ２には、図２に示すＥＦＦ４０及びＥＱ４１が相当する。
【００６７】
まず、入力音声の単独録音では、図４（ａ）に示すように、選択された入力手段（内蔵マイク５９、６０等）から入力されたアナログ音声信号は、ＡＤ変換部２６でデジタル音声信号に変換され、Ｅｆｆ１で効果付与等が施されてミキシング部ＭＢに入力される。その後、Ｅｆｆ２及びＤＡ変換部４２を介して再生出力されると共に、エンコーダ３８で圧縮変換されて、ＭＰ３ファイル（ここではミキシングがなされないミックスファイル１２）としてメモリカード１０に記憶される。
【００６８】
ソースファイル１１のソング再生では、図４（ｂ）に示すように、メモリカード１０のＭＰ３ファイル（ここではソースファイル１１中の選択されたソング）の音声信号がデコーダ３７でデジタル音声信号に伸長変換され、ミキシング部ＭＢに入力される。その後、Ｅｆｆ２及びＤＡ変換部４２を介して再生出力される。
【００６９】
ミキシング録音では、図５（ａ）に示すように、入力されたアナログ音声信号は、ＡＤ変換部２６でデジタル音声信号に変換され、Ｅｆｆ１で効果付与等が施されてミキシング部ＭＢに入力される。一方、メモリカード１０のソースファイル１１の音声信号が、デコーダ３７でデジタル音声信号に伸長変換され、ミキシング部ＭＢに入力される。Ｅｆｆ１及びデコーダ３７からミキシング部ＭＢに入力された両デジタル音声信号は、ミキシングされ、Ｅｆｆ２及びＤＡ変換部４２を介して再生出力されると共に、エンコーダ３８で圧縮変換されて、ミックスファイル１２としてメモリカード１０に記憶される。従って、音声入力は、再生出力をモニタしつつ行える。また、このミックスファイル１２は、次回からは新たなソースファイル１１として機能するので、音質をほとんど劣化させることなくオーバーダビングを繰り返すことができる。
【００７０】
マテリアルファイル１３を残しながらのミキシング録音では、図５（ｂ）に示すように、図５（ａ）の場合の動作処理に加えて、Ｅｆｆ１からのデジタル音声信号が、エンコーダ３９によりＭＰ３形式で圧縮変換されて、マテリアルファイル１３としてメモリカード１０に記憶される処理がなされる。マテリアルファイル１３は、パーソナルコンピュータ等で後から加工する際の資産になり得る。
【００７１】
メトロノームに合わせて録音を行う場合は、図６（ａ）に示すように、図４（ａ）の場合の動作処理に加えて、エンコーダ３８からのシンクロ用の信号をトリガとしてチューナ／メトロノーム４４からメトロノーム音が出力され、ＤＡ変換部４２を介して発音される。なお、メトロノーム機能は、ミキシング録音（図５（ａ）、（ｂ））や入力音声のリアルタイム再生の場合にも適用可能である。
【００７２】
チューナ機能を用いる場合は、図６（ｂ）に示すように、入力音声の音高に応じてＬＥＤレベルメータ７１を点滅させるための信号がチューナ４５からＡＤ変換部２６に出力される。トーンジェネレータ機能を用いる場合は、図６（ｃ）に示すように、チューナ／メトロノーム４４から、設定した音程の基準音が出力され、ＤＡ変換部４２を介して発音される。
【００７３】
図７は、表示部６１の表示例を示す図である。
【００７４】
表示部６１には、各動作状況や設定状況に応じた情報が表示されるが、図７では特に、単独録音及びその停止、ミキシング録音及びその停止の場合における表示の一例を示す。
【００７５】
単独録音が開始されると、ｒｅｃボタン７６（図１）が点灯すると共に、表示部６１には、同図（ａ）に示すように、「ＲＥＣ」等の表示や録音中であることを視覚的に示す録音中キャラクタ「＜＞＿＿＜＞」が表示される。また、単独録音が停止されると、同図（ｂ）に示すように、「Ｕ」の文字が表示される。「Ｕ」はアンドゥが可能であることを示し、この時点でｕｎｄｏボタン８７を押下すればアンドゥ画面（図示せず）となり、所定の操作によって直前の録音処理が取り消され、元の状態に復帰する。
【００７６】
一方、ミキシング録音が開始されると、ｍｉｘボタン７７（図１）が点灯すると共に、表示部６１には、同図（ｃ）に示すように、「ＭＩＸ」等の表示やミキシング録音中であることを視覚的に示す（ダブルカセットの作動中をイメージさせる）ミキシング録音中キャラクタ「＜＞＿＿＜＞＜＞＿＿＜＞」（所定情報）が表示される。これにより、ミキシング録音中であることが視覚的に容易に確認される。なお、ミキシング録音中キャラクタは、ミキシング録音が停止されるまで表示されるが、ミキシング録音の開始時に一時的に表示されるようにしてもよい。また、ミキシング録音が停止されると、同図（ｄ）に示すように、「Ｕ」の文字が表示され、この時点でｕｎｄｏボタン８７を押下すればアンドゥ画面（図示せず）となり、所定の操作によって直前のミキシング録音処理が取り消され、元の状態に復帰する。
【００７７】
なお、録音中キャラクタやミキシング録音中キャラクタは例示したものに限られず、例えば、ＬＥＤを用いた表示としてもよい。
【００７８】
なお、アンドゥ機能は１回だけ行えるようにしたが、アンドゥバッファ３１の容量を拡大し、複数回のアンドゥ処理を行えるようにしてもよい。
【００７９】
図８は、本ポータブルミキシング記録装置２台をカスケード接続してミキシング録音する場合の信号の流れを示すブロック図である。同図では、構成が同一のポータブルミキシング記録装置２０が互いのカスケード端子５２（図１）で接続された状態を示し、マスター側をマスター側装置２０Ａ、スレーブ側をスレーブ側装置２０Ｂとそれぞれ記す。上述したように、マスター側装置２０Ａのマスター指定スイッチ５８の押下により、両装置のスイッチ部ＭＳＷは、マスター側装置２０Ａではオン、スレーブ側装置２０Ｂではオフとなっている。なお、同図では、マテリアルファイル１３の作成処理は省略されている。
【００８０】
マスター側装置２０Ａの入力切換部２５を介して入力されるアナログ音声信号を「信号Ａ」、マスター側装置２０Ａのソースファイル１１として記憶されているＭＰ３音声信号を「信号Ｂ」、スレーブ側装置２０Ｂの入力切換部２５を介して入力されるアナログ音声信号を「信号Ｃ」、マスター側装置２０Ａのソースファイル１１として記憶されているＭＰ３音声信号を「信号Ｄ」と称し、以下、デジタル、アナログを問わずいずれも同様に呼称する。
【００８１】
マスター側装置２０Ａでは、まず、「信号Ａ」と「信号Ｂ」とがミキシング部ＭＢに入力される。さらに、スレーブ側装置２０Ｂの出力ライン８から出力された「信号Ｃ」（スレーブ側デジタル音声入力信号）が、カスケード端子５２を介してミキシング部ＭＢに入力される。ミキシング部ＭＢでは、「信号Ａ」、「信号Ｂ」及び「信号Ｃ」がミキシングされたデジタル音声信号である「信号Ａ＋Ｂ＋Ｃ」が生成され、これがＥｆｆ２及びＤＡ変換部４２を介して再生出力されると共に、エンコーダ３８を介してミックスファイル１２としてメモリカード１０に圧縮記憶される。これにより、「信号Ｃ」が「信号Ａ」と同様にミキシングの対象になるので、アナログ音声信号として同時に入力可能な信号数が増える。「信号Ａ＋Ｂ＋Ｃ」はさらに、ミキシング部ＭＢからライン７及びカスケード端子５２を介してスレーブ側装置２０Ｂに出力される。
【００８２】
一方、スレーブ側装置２０Ｂでは、カスケード端子５２を介して入力される「信号Ａ＋Ｂ＋Ｃ」とソースファイル１１からの「信号Ｄ」とが、ミキシング部ＭＢに入力される。なお、信号のループ化を防止するため、上述のように、「信号Ｃ」はＥｆｆ１からはミキシング部ＭＢに入力されない。ミキシング部ＭＢでは、「信号Ａ＋Ｂ＋Ｃ」及び「信号Ｄ」がミキシングされたデジタル音声信号である「信号Ａ＋Ｂ＋Ｃ＋Ｄ」が生成され、これがＥｆｆ２及びＤＡ変換部４２を介して再生出力されると共に、エンコーダ３８を介してミックスファイル１２としてメモリカード１０に圧縮記憶される。
【００８３】
なお、「信号Ａ＋Ｂ＋Ｃ＋Ｄ」を正確に再生、録音する場合、「信号Ａ＋Ｂ＋Ｃ」と「信号Ｄ」との同期をとるための処理が必要となる。そこで、カスケード接続時は、スレーブ側装置２０Ｂからの「信号Ｄ」の読み出しを行わないように設定可能にして、「信号Ａ」、「信号Ｂ」及び「信号Ｃ」だけの処理としてもよい。このようにすれば、マスター側装置２０Ａと同様の「信号Ａ＋Ｂ＋Ｃ」の再生及び記録を、スレーブ側装置２０Ｂでも同時に行うことができる。
【００８４】
次に、再生録音ボタン７２、ｒｅｃボタン７６、ｍｉｘボタン７７及びｐａｕｓｅボタン７８が操作されたときの処理（ボタン操作処理）を、図９〜図１１のフローチャートに基づいて説明する。
【００８５】
前述のように、録音待機状態、すなわちｒｅｃボタン７６が操作された状態で再生録音ボタン７２が操作されると、単独録音が開始され、この単独録音は、再生録音ボタン７２が再度操作されるまで継続する（処理１）。また、ミキシング録音待機状態、すなわちｍｉｘボタン７７が操作された状態で再生録音ボタン７２が操作されると、ミキシング録音が開始され、このミキシング録音は、再生録音ボタン７２が再度操作されるまで継続する（処理２）。録音待機状態及びミキシング録音待機状態のいずれの状態でもないときに、再生録音ボタン７２が操作されると、現在選択中のソースファイルが再生され、その再生中にｐａｕｓｅボタン７８が操作されると、その再生が一時停止される（処理３）。再生が一時停止された状態で、再度ｐａｕｓｅボタン７８が操作されると、その一時停止状態が解除されて再生状態に復帰し（処理４）、再生が一時停止された状態で、ｍｉｘボタン７７が操作されると、一時停止位置からミキシング録音を開始する（処理５）。
【００８６】
上記処理１が、図９のステップＳ１〜Ｓ５によって実現され、上記処理２が、図９のステップＳ６〜Ｓ１２によって実現され、上記処理３が、図１０のステップＳ１３→図１１のステップＳ２１→Ｓ２２によって実現され、上記処理４が、図１１のステップＳ２３→Ｓ２４→図１０のステップＳ１５→Ｓ１６によって実現され、上記処理５が、図１１のステップＳ２３→Ｓ２４→Ｓ２６〜Ｓ３２→図１０のステップＳ１５→図９のリターンによって実現される。
【００８７】
図９において、再生録音ボタン７２が押されたときに、ｒｅｃボタン７６が押されていて録音待機状態である場合には、前記図４（ａ）を用いて説明したように、選択された入力手段から入力されたアナログ音声信号は、デジタル音声信号に変換された後、ミキシングがなされないミックスファイル１２としてメモリカード１０に記憶される（ステップＳ１→Ｓ２→Ｓ３）。
【００８８】
そして、再生録音ボタン７２が押されるまで、ミックスファイル１２への記憶を続け（ステップＳ３→Ｓ４→Ｓ３）、再生録音ボタン７２が押されると、ミックスファイル１２への記憶を終了し、ミックスファイル１２は、新しい名前のソースファイル１１となる（ステップＳ４→Ｓ５）。
【００８９】
また、再生録音ボタン７２が押されたときに、ｍｉｘボタン７７が押されていてミキシング録音待機状態である場合には、前記図５（ａ）を用いて説明したように、選択された入力手段から入力されたアナログ音声信号は、デジタル音声信号に変換された後、ソースファイル１１から読み出されて再生されたデジタル音声信号とミキシングされて、ミックスファイル１２としてメモリカード１０に記憶される（ステップＳ１→Ｓ２→Ｓ６→Ｓ７）。
【００９０】
そして、再生録音ボタン７２が押されるまで、ミックスファイル１２への記憶（ミキシング録音）を続け（ステップＳ７→Ｓ８→Ｓ７）、再生録音ボタン７２が押されると、ミックスファイル１２への記憶を終了して、元のソースファイル１１をアンドゥバッファ３１に仮記憶し、ミックスファイル１２を元のソースファイル１１の名前に変更し、元のソースファイル１１を消去する（ステップＳ８→Ｓ９→Ｓ１０→Ｓ１１→Ｓ１２）。
【００９１】
さらに、再生録音ボタン７２が押されたときに、録音待機状態及びミキシング録音待機状態のいずれの状態でもないときには、単なる再生指示と判断して、現在選択中のソースファイル１１を再生する（ステップＳ１３）。そして、図１１を用いて後述するポーズ処理サブルーチンを実行した後（ステップＳ１４）、このポーズ処理サブルーチンによってミキシング録音がなされたか否かを判別し（ステップＳ１５）、ミキシング録音がなされなかったときには、その後再生録音ボタン７２が押されるまで、上記ステップＳ１３〜Ｓ１５の処理を繰り返し、再生録音ボタン７２が押されると、再生を停止する（ステップＳ１７）。
【００９２】
図１１は、上記ステップＳ１４のポーズ処理サブルーチンの詳細な手順を示すフローチャートである。
【００９３】
同図において、ｐａｕｓｅボタン７８が押されたときには、再生を一時停止させ（ステップＳ２１→Ｓ２２）、その後ｐａｕｓｅボタン７８もｍｉｘボタン７７も押されないときには、この一時停止状態を継続する（ステップＳ２３→Ｓ２５→Ｓ２２）。
【００９４】
再生が一時停止された状態で、ｐａｕｓｅボタン７８が押されたときには、この一時停止状態を解除する（ステップＳ２３→Ｓ２４）。
【００９５】
一方、再生が一時停止された状態で、ｍｉｘボタン７７が押されたときには、ソースファイル１１中、今まで再生した部分のデジタル音声信号をミックスファイル１２に記憶し、デジタル音声信号をミックスファイル１２に書き込むための書き込みポインタ（図示せず）が示すアドレスを、再生を一時停止させた位置に設定し、その位置から、デジタル音声入力信号（選択された入力手段から入力されたアナログ音声信号をデジタル変換したもの）とソースファイル１１から読み出されて再生されたデジタル音声信号とをミキシングして、ミックスファイル１２としてメモリカード１０に記憶する（ステップＳ２５→Ｓ２６→Ｓ２７→Ｓ２８）。
【００９６】
そして、再生録音ボタン７２が押されるまで、上記ステップＳ２８の処理を繰り返し、再生録音ボタン７２が押されると、前記ステップＳ９〜Ｓ１２と同様の処理を行う（ステップＳ３０〜Ｓ３３）。
【００９７】
図１２は、本実施の形態のポータブルミキシング記録装置を用いて、ソースファイル１１の一部のみにミキシング録音をする場合の操作手順を示す図である。
【００９８】
同図に示すように、まず、再生録音ボタン７２を押して、ソースファイル１１の再生を開始し、次に、ミキシング録音したい位置に再生が進行した時点で、ｐａｕｓｅボタン７８を押して、再生を一時停止させる。そして、ミキシング録音させたいデジタル音声信号が、たとえば楽器音であれば、当該楽器の演奏を準備し、準備が完了すると、ｍｉｘボタン７７を押して、ミキシング録音を開始する。
【００９９】
このように、本実施の形態では、ソースファイル１１の一部のみにミキシング録音をさせたい場合には、ミキシング録音をさせたくない部分は再生のみさせて、前記従来のマルチチャンネルレコーダのように、ミキシング録音の待機状態とさせていないので、ミキシング録音させたい音声信号以外の信号が入り込む余地はなくなり、ユーザは演奏等のミキシング録音のみに集中することができる。また、本実施の形態では、単独録音を指示するためのｒｅｃボタン７６とミキシング録音を指示するためのｍｉｘボタン７７の２種類のボタンを設けるようにしたので、ユーザは自分の意図した録音（待機状態への移行）を、対応するボタンを押すという簡単な操作で行うことができ、これにより、ユーザのボタン操作に対する迷いは消えて、操作性が向上する。
【０１００】
さらに、本実施の形態によれば、アナログ音声信号として入力した音声信号と、ソースファイル１１に記憶された圧縮音声信号とを、デジタル音声信号に変換した上でミキシングし、圧縮変換して新たなソースファイルとして記憶するようにし、しかも新たなソースファイルは次回の元のソースファイルとして利用可能にしたので、例えば、マルチチャネルレコーダのようにオーバーダビングを繰り返していけば、多数の音声信号が多重された楽曲が完成する。また、本装置はポータブルであるので、特定の楽器演奏者のところまで持ち歩き、ミキシングする等の用途に適している。さらに、ミキシングはデジタル状態でなされるので、オーバーダビングを繰り返しても音質の劣化がほとんど生じず、音楽製作に好適である。また、ミキシングされたデジタル音声信号は圧縮音声信号に圧縮変換されて記憶されるので、メモリ容量を少なくすることができ、装置の携帯性の向上にも寄与する。よって、過大な場所の制約を受けることなく、音質の劣化を極力防止しつつオーバーダビング等による音楽製作を外出先で気軽に行うことができる。
【０１０１】
本実施の形態ではまた、ミックスファイル１２を新たなソースファイルとして記憶する際、元のソースファイル１１がアンドゥバッファ３１に仮記憶されるようにしたので、ミキシング録音の失敗時や録音結果に満足できなかった場合等に、アンドゥバッファ３１に仮記憶した元のソースファイルを用いてミキシング録音のやり直しを容易に行え、音楽製作時の使い勝手を向上することができる。
【０１０２】
本実施の形態ではまた、ミックスファイル１２を記憶する際、マテリアルファイル１３をミックスファイル１２とは別個の別ファイルとして記憶するようにしたので、オーバーダビングを繰り返して最終的にミキシング結果が気に入らない場合等であっても、マテリアルファイル１３をパーソナルコンピュータ等で後から加工でき、事後的な活用の余地を残して音楽製作時の使い勝手を向上することができる。
【０１０３】
本実施の形態ではまた、ミキシング録音中には、ミキシング録音中キャラクタが表示されるので、ミキシング録音中であることを容易に視覚的に確認することができ、使い勝手を向上することができる。
【０１０４】
本実施の形態ではまた、他のポータブルミキシング記録装置をスレーブ側装置２０Ｂとしてカスケード接続することで、スレーブ側装置２０Ｂから入力された入力信号をミキシングの対象に加えることができるので、１度にミックスダウン可能な入力信号数を増やすことができ、音楽製作の効率を向上することができる。
【０１０５】
なお、カスケード接続する他のポータブルミキシング記録装置は、３以上でもよい。その場合は、カスケード端子５２に代えて、マスターイン端子とスレーブアウト端子を備え、上位装置のマスターイン端子と下位装置のスレーブアウト端子とを数珠繋ぎのように接続することで、上下関係を規定するようにしてもよい。これにより、１度にミックスダウン可能な入力信号数をカスケード接続されたスレーブ側装置の数だけ増やすことができる。
【０１０６】
なお、本実施の形態では、音声信号の圧縮形式としてＭＰ３を用いたが、これに限るものでなく、ＴｗｉｎＶＱ（周波数領域重み付きインターリーブ・ベクトル量子化）、ＡＳＦ（Advanced Streaming Format）等、他の圧縮形式を採用してもよい。
【０１０７】
なお、メモリカード１０は着脱自在な他の記憶媒体で構成してもよく、また、装置２０本体に備えた固定的な記憶媒体で構成してもよい。
【０１０８】
なお、本発明を達成するためのソフトウェアによって表される制御プログラムを記憶した記憶媒体を、本装置に読み出すことによって同様の効果を奏するようにした場合、記憶媒体から読み出されたプログラムコード自体が本発明の新規な機能を実現することになり、そのプログラムコードを記憶した記憶媒体は本発明を構成することになる。また、通信インターフェイスを備えて、プログラムコードが電送媒体等を介して供給される場合は、プログラムコード自体が本発明を構成することになる。なお、これらの場合の記憶媒体としては、ＲＯＭのほか、フロッピー（登録商標）ディスク、ハードディスク、光ディスク、ＣＤ−ＲＯＭ、ＣＤ−Ｒ、磁気テープ、不揮発性のメモリカード等を用いることができる。
【０１０９】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施の形態の機能が実現される場合も含まれることは言うまでもない。
【０１１０】
【発明の効果】
以上説明したように、請求項１，３又は５のいずれかに記載の発明によれば、ユーザは自分の意図した録音を、対応する録音指示手段の操作という簡単な操作で行うことができ、これにより、ユーザの録音指示操作に対する迷いは消えて、操作性が向上する。
【０１１１】
また、メモリ容量を少なくすることができ、携帯性の向上にも寄与し、このため、過大な場所の制約を受けることなく、音質の劣化を極力防止しつつオーバーダビング等による音楽製作を気軽に行うことができる。
【０１１２】
さらに、請求項２，４又は６のいずれかに記載の発明によれば、ミキシング録音させたい音声信号以外の信号が入り込む余地はなくなり、ユーザは演奏等のミキシング録音のみに集中することができる。
【図面の簡単な説明】
【図１】  本発明の一実施の形態に係るポータブルミキシング記録装置の外観を示す図である。
【図２】  同記録装置の機能構成を示すブロック図である。
【図３】  同記録装置の内部構成を示すブロック図である。
【図４】  動作別（単独録音、ソング再生）の信号の流れを図２に対応させて簡略的に示したブロック図である。
【図５】  動作別（ミキシング録音）の信号の流れを図２に対応させて簡略的に示したブロック図である。
【図６】  動作別（メトロノーム、チューナ、トーンジェネレータ機能動作時）の信号の流れを図２に対応させて簡略的に示したブロック図である。
【図７】  表示部の表示例を示す図である。
【図８】  同記録装置２台をカスケード接続してミキシング録音する場合の信号の流れを示すブロック図である。
【図９】  ボタン操作処理の手順を示すフローチャートである。
【図１０】  図９のボタン操作処理の続きの手順を示すフローチャートである。
【図１１】  図１０のポーズ処理サブルーチンの詳細な手順を示すフローチャートである。
【図１２】  図１のポータブルミキシング記録装置を用いて、ソースファイルの一部のみにミキシング録音をする場合の操作手順を示す図である。
【図１３】  従来の記録装置を用いて、ソースファイルの一部のみにミキシング録音をする場合の操作手順を示す図である。
【符号の説明】
１０  メモリカード（所定のメモリ）、  １１  ソースファイル、  １２  ミックスファイル、  １３  マテリアルファイル、  ２５  入力切換部（入力変換手段の一部）、  ２６  ＡＤ変換部（入力変換手段の一部）、  ３０  記憶制御部（記憶制御手段）、  ３１  アンドゥバッファ（アンドゥバッファ部）、  ３４  出力ライン（ミキシング手段）、  ３６  ライン（スレーブ入力手段の一部）、  ３７  デコーダ（デコード手段）、  ３８  エンコーダ（第１エンコード手段）、  ３９  エンコーダ（第２エンコード手段）、  ５２  カスケード端子（接続手段、スレーブ入力手段の一部）、  ５９、６０  内蔵マイク（入力変換手段の一部）、  ６１  表示部（表示手段）、  ８４  ｉｎｓｔ端子（入力変換手段の一部）、  ８５  外部マイク端子（入力変換手段の一部）、  ８６  ａｕｘ端子（入力変換手段の一部）、  ＭＢ  ミキシング部（ミキシング手段）、  ９１  ＣＰＵ、  ９２  ＲＡＭ、  ９３  ＲＯＭ
【図１】
0003859201.tif 000002
【図２】
0003859201.tif 000003
【図３】
0003859201.tif 000004
【図４】
0003859201.tif 000005
【図５】
0003859201.tif 000006
【図６】
0003859201.tif 000007
【図７】
0003859201.tif 000008
【図８】
0003859201.tif 000009
【図９】
0003859201.tif 000010
【図１０】
0003859201.tif 000011
【図１１】
0003859201.tif 000012
【図１２】
0003859201.tif 000013
【図１３】
0003859201.tif 000014